(57)【要約】【課題】コンテンツのダウンロードが中断した後、サーバ装置は、間欠動作してダウンロード要求の有無を判定し、移動通信装置は、サーバ装置が間欠動作中にダウンロード要求を送信する。【解決手段】コンテンツのダウンロードが中断した後、サーバ装置ＳＶのコンテンツ転送機能１０１−２は、間欠動作して未送信部分の送信要求を待ち（ステップＳ１０１−２ｎ）、要求を受信した場合（ステップＳ１０１−２ｏの「ＹＥＳ」）、上記未送信部分を送信する（ステップＳ１０１−２ｒ）。移動通信装置ＭＳのコンテンツ取得機能２０１−１は、サーバ装置ＳＶが間欠動作するまで待ち（ステップＳ２０１−１ｎ）、コンテンツの未受信部分の送信を要求する（ステップＳ２０１−１ｏ）。ここで、サーバ装置ＳＶの間欠動作周期は、中断までにダウンロードされたコンテンツが再生される時間である。【選択図】図８
2010128956.tif 000002
【特許請求の範囲】
【請求項１】
コンテンツを記憶するサーバ装置と、前記サーバ装置と接続され、前記サーバ装置から送信されたコンテンツを受信する移動通信装置とからなるコンテンツダウンロードシステムであって、
前記サーバ装置は、前記コンテンツの送信が中断された場合、その中断までに送信された部分の再生時間を周期として間欠動作し、その間欠動作の際、前記移動通信装置から送信された前記コンテンツの未送信部分の送信要求を受信すると、その要求に応じて前記コンテンツの未送信部分を送信し、
前記移動通信装置は、前記コンテンツの受信が中断された場合、その中断までに受信された部分の再生時間を周期とする前記サーバ装置の動作時間に前記サーバ装置に前記コンテンツの未受信部分の送信要求を送信し、その要求に応じて送信された前記コンテンツの未受信部分を受信する
ことを特徴とするコンテンツダウンロードシステム。
【請求項２】
コンテンツを記憶するサーバ装置と、前記サーバ装置とケーブル又は近距離無線通信回線と、移動通信網とのいずれか一方を介して接続され、前記サーバ装置から送信されたコンテンツを受信する移動通信装置とからなるコンテンツダウンロードシステムであって、
前記サーバ装置は、
コンテンツを前記ケーブル又は近距離無線通信回線を介して前記移動通信装置へ送信する第１のコンテンツ送信手段と、
前記第１のコンテンツ送信手段によるコンテンツの送信が中断された場合、前記サーバ装置の電源を切断させ、かつ、その中断された時刻を起点時刻とし、前記コンテンツの送信が中断されるまでに送信した部分の再生時間を周期として前記サーバ装置を間欠動作させる電源管理手段と、
前記移動通信網を介して前記移動通信装置から送信された前記コンテンツの未送信部分の送信要求を受信した場合、その要求に応じて前記未送信部分を前記移動通信網を介して前記移動通信装置へ送信する第２のコンテンツ送信手段とを有し、
前記移動通信装置は、前記サーバ装置から前記ケーブル又は近距離無線通信回線を介して送信されたコンテンツを受信して、コンテンツ記憶手段に記憶させる第１のコンテンツ受信手段と、
前記第１のコンテンツ受信手段によるコンテンツの受信が中断された後、その中断された時刻を起点時刻とし、前記コンテンツの受信が中断されるまでに受信した部分の再生時間を周期とする時刻に、前記コンテンツの未受信部分の送信要求を前記移動通信網を介して前記サーバ装置へ送信するコンテンツ再送要求手段と、
前記コンテンツ再送要求手段の要求に応じて前記サーバ装置から前記移動通信網を介して送信された前記コンテンツの未受信部分を受信して、前記コンテンツ記憶手段に記憶させる第２のコンテンツ受信手段とを有する
ことを特徴とするコンテンツダウンロードシステム。
【請求項３】
コンテンツを記憶し、前記コンテンツの送信が中断された場合、その中断までに送信された部分の再生時間を周期として間欠動作するサーバ装置と接続され、前記サーバ装置からコンテンツを受信する移動通信装置であって、
前記コンテンツの受信が中断された場合、その中断までに受信された部分の再生時間を周期とする前記サーバ装置の動作時間に前記サーバ装置に前記コンテンツの未受信部分の送信要求を送信し、その要求に応じて送信された前記未受信部分を受信する
ことを特徴とする移動通信装置。
【請求項４】
コンテンツを記憶し、前記コンテンツの送信が中断された場合、自装置の電源を切断し、前記中断された時刻を起点時刻とし、前記コンテンツの送信が中断されるまでに送信した部分の再生時間を周期として間欠動作するサーバ装置と、ケーブル又は近距離無線通信回線と、移動通信網とのいずれか一方を介して接続される移動通信装置であって、
前記サーバ装置から前記ケーブル又は近距離無線通信回線を介して送信されたコンテンツを受信して、コンテンツ記憶手段に記憶させる第１のコンテンツ受信手段と、
前記第１のコンテンツ受信手段によるコンテンツの受信が中断された後、その中断された時刻を起点時刻とし、前記コンテンツの受信が中断されるまでに受信した部分の再生時間を周期とする時刻に、前記コンテンツの未受信部分の送信要求を前記移動通信網を介して前記サーバ装置へ送信するコンテンツ再送要求手段と、
前記コンテンツ再送要求手段の要求に応じて前記サーバ装置から前記移動通信網を介して送信された前記コンテンツの未受信部分を受信して、前記コンテンツ記憶手段に記憶させる第２のコンテンツ受信手段と
を有することを特徴とする移動通信装置。
【請求項５】
前記コンテンツ記憶手段に記憶されたコンテンツを再生するコンテンツ再生手段を更に有し、
前記コンテンツ再送要求手段は、前記第１のコンテンツ受信手段によるコンテンツの受信が中断された後、前記コンテンツ再生手段が前記コンテンツ記憶手段に記憶されたコンテンツの再生を開始した場合、前記コンテンツの未受信部分の送信要求を送信する
ことを特徴とする請求項４に記載の移動通信装置。
【発明の詳細な説明】
【技術分野】
【０００１】
本発明は、コンテンツを記憶するサーバ装置及び移動通信装置からなるコンテンツダウンロードシステム、並びに、移動通信装置に係り、特に、装置の消費電力削減に関する。
【背景技術】
【０００２】
家庭内に設置されたサーバ装置に記憶された動画像コンテンツ、音声コンテンツ、ゲームプログラムなどのコンテンツを移動通信装置にダウンロードして再生させる処理が知られている。ここで、その移動通信装置は、その家庭の家族が所有する装置であることが多い。
【０００３】
移動通信装置とサーバ装置とは、両装置が存在する場所に応じて、インターネット、ホームネットワーク、また、移動通信網を介して接続される。なお、ホームネットワークとは、家庭内に設置されたネットワークであり、サーバ装置が接続されたハブに、移動通信装置が接続することが可能である。更に、そのハブは、通信回線事業者の、例えば光回線とルータなどを経由して、インターネットへ接続することも可能であるため、この場合、サーバ装置と移動通信装置とは、移動通信網およびホームネットワークを介して接続される。
【０００４】
移動通信装置がサーバ装置からコンテンツをダウンロードする際、移動通信装置が家庭内にある場合、通信料が発生せず、通信速度が高速であることが多いなどの理由により、ホームネットワークを介してダウンロードを行なうことが好ましい。
【０００５】
一方、移動通信装置が家庭外にある場合、ダウンロードは移動通信網を介して行なうが、この場合、サーバ装置は動作している必要がある。しかし、家庭内に設置されたサーバ装置からダウンロードを行なう移動通信装置は比較的少数であるため、そのダウンロード要求に備えて常にサーバ装置を動作させることは、消費電力の観点から好ましくない。
【０００６】
そこで、端末装置は、サーバ装置へアクセスする時間帯をサーバ装置へ送信し、サーバ装置は、そのアクセスされる時間帯に動作し、そのアクセスがされない時間帯には電源が切断された状態になるように制御される処理が知られている（例えば、特許文献１参照。）。
【特許文献１】特開２００５−１５７７９９号公報（第１０−１１頁、図７）
【発明の開示】
【発明が解決しようとする課題】
【０００７】
しかしながら、上述した特許文献１に開示されている方法では、端末装置がサーバ装置へアクセスする時間帯を事前に決定しなければならず、決定した時間外はアクセスできないという問題点があった。
【０００８】
本発明は、上記問題点を解決するためになされたもので、コンテンツのダウンロードが中断した後、サーバ装置は、間欠動作してダウンロード要求の有無を判定し、移動通信装置は、サーバ装置が間欠動作中にダウンロード要求を送信するコンテンツダウンロードシステム及び移動通信装置を提供することを目的とする。
【課題を解決するための手段】
【０００９】
上記目的を達成するために、本発明のコンテンツダウンロードシステムは、コンテンツを記憶するサーバ装置と、前記サーバ装置と接続され、前記サーバ装置から送信されたコンテンツを受信する移動通信装置とからなるコンテンツダウンロードシステムであって、前記サーバ装置は、前記コンテンツの送信が中断された場合、その中断までに送信された部分の再生時間を周期として間欠動作し、その間欠動作の際、前記移動通信装置から送信された前記コンテンツの未送信部分の送信要求を受信すると、その要求に応じて前記コンテンツの未送信部分を送信し、前記移動通信装置は、前記コンテンツの受信が中断された場合、その中断までに受信された部分の再生時間を周期とする前記サーバ装置の動作時間に前記サーバ装置に前記コンテンツの未受信部分の送信要求を送信し、その要求に応じて送信された前記コンテンツの未受信部分を受信することを特徴とする。
【００１０】
また、本発明の移動通信装置は、コンテンツを記憶し、前記コンテンツの送信が中断された場合、その中断までに送信された部分の再生時間を周期として間欠動作するサーバ装置と接続され、前記サーバ装置からコンテンツを受信する移動通信装置であって、前記コンテンツの受信が中断された場合、その中断までに受信された部分の再生時間を周期とする前記サーバ装置の動作時間に前記サーバ装置に前記コンテンツの未受信部分の送信要求を送信し、その要求に応じて送信された前記未受信部分を受信することを特徴とする。
【発明の効果】
【００１１】
本発明によれば、コンテンツのダウンロードが中断した後、サーバ装置は、間欠動作してダウンロード要求の有無を判定し、移動通信装置は、サーバ装置が間欠動作中にダウンロード要求を送信することができる。
【発明を実施するための最良の形態】
【００１２】
以下に、本発明によるコンテンツダウンロードシステム及び移動通信装置の実施の形態を、図面を参照して説明する。図１は、本発明の実施形態に係る移動通信装置を含む本発明の実施形態に係るコンテンツダウンロードシステムの構成を示すブロック図である。
【００１３】
このコンテンツダウンロードシステムは、コンテンツを記憶するサーバ装置ＳＶと、サーバ装置ＳＶに記憶されたコンテンツをダウンロードして再生する移動通信装置ＭＳとを備える。なお、サーバ装置ＳＶと、移動通信装置ＭＳとは、図１では、それぞれ１台としたが、複数台でも良い。
【００１４】
ホームネットワークＨＮは、家庭内に設置された装置が、例えば、ＤＬＮＡ（登録商標、Digital Living Network Alliance）によって定められた標準に従った通信を行うネットワークである。サーバ装置ＳＶは、ホームネットワークＨＮを構成するハブ（図示せず）にケーブルを介して接続されている。
【００１５】
また、ホームネットワークＨＮは、通信事業者の回線を介してインターネットＩＮに接続されている。そこで、ホームネットワークＨＮは、インターネットＩＮの一部と扱うこともできるが、インターネットＩＮに含まれないとして説明する。
【００１６】
インターネットＩＮは、移動通信網ＭＮに接続されている。そこで、移動通信網ＭＮは、インターネットＩＮの一部と扱うこともできるが、インターネットＩＮに含まれないとして説明する。
【００１７】
移動通信装置ＭＳは、一般的に、家庭内にあっては近距離無線通信回線を介してホームネットワークＨＮに接続され、また、家庭外にあっては移動通信網ＭＮに接続される。そこで、この図示したネットワークによれば、移動通信装置ＭＳは、ホームネットワークＨＮ、並びに、移動通信網ＭＮ、インターネットＩＮ及びホームネットワークＨＮからなるネットワーク列のいずれか一方を介してサーバ装置ＳＶに接続されることがある。
【００１８】
図２は、サーバ装置ＳＶの構成を示すブロック図である。このサーバ装置ＳＶは、装置全体の制御を行う制御部１０１と、現在時刻を示すクロック１０２と、使用者へ情報の提示を行う表示部１０３と、使用者からの操作指示を入力する入力部１０４と、コンテンツ記憶部１１１と、オンオフスケジュール記憶部１１２と、ホームネットワークＨＮのハブとケーブルを介して接続されるネットワーク通信部１２１と、ネットワーク送受信部１２２とからなる。
【００１９】
プログラムを実行することで実現される本発明に関する機能として、制御部１０１には、オンオフ制御機能１０１−１と、コンテンツ転送機能１０１−２と、オンオフスケジュール作成機能１０１−３と、コンテンツ再生時間算出機能１０１−４とが存在している。コンテンツ記憶部１１１には、コンテンツが記憶され、オンオフスケジュール記憶部１１２には、サーバ装置ＳＶが動作するスケジュールが記憶される。
【００２０】
図３は、移動通信装置ＭＳの構成を示すブロック図である。この移動通信装置ＭＳは、装置全体の制御を行う制御部２０１と、現在時刻を示すクロック２０２と、移動通信網ＭＮに属する基地局（図示せず）との間で電波の送受信を行うアンテナ２０３ａと、移動通信網通信部２０３ｂと、移動通信網送受信部２０４と、受話に用いられるスピーカ２０５ａと、送話に用いられるマイクロフォン２０５ｂと、通話部２０５ｃと、使用者へ情報の提示を行う表示部２０６と、使用者からの操作指示を入力する入力部２０７と、コンテンツ再生部２１１と、コンテンツ再生用のスピーカ２１１ａと、コンテンツ記憶部２１２と、サーバスケジュール記憶部２１３と、ホームネットワークＨＮのアクセスポイント（図示せず）との間で無線ＬＡＮ方式の近距離無線通信回線の電波の送受信を行うアンテナ２２１ａと、近距離無線通信部２２１ｂと、近距離無線送受信部２２２とからなる。
【００２１】
プログラムを実行することで実現される本発明に関する機能として、制御部２０１には、コンテンツ取得機能２０１−１と、サーバスケジュール作成機能２０１−２と、コンテンツ再生時間算出機能２０１−３とが存在している。コンテンツ記憶部２１２には、コンテンツが記憶され、サーバスケジュール記憶部２１３には、サーバ装置ＳＶが動作するスケジュールが記憶される。
【００２２】
上記のように構成された、本発明の実施形態に係るコンテンツダウンロードシステムの各部の動作を、図１〜図３を参照して説明する。
【００２３】
先ず、サーバ装置ＳＶの各部の動作を、図２を参照して説明する。制御部１０１は、入力部１０４の所定のキー操作に基づいて、サーバ装置ＳＶの電源を投入して動作させ、また、電源を切断して動作を停止させる。
【００２４】
オンオフ制御機能１０１−１は、オンオフ制御機能１０１−１を除くサーバ装置ＳＶの各部の電源を切断する。そして、電源を切断した際にオンオフスケジュール記憶部１１２に記憶されていたオンオフスケジュールに従って、サーバ装置ＳＶの電源を投入して動作させる。
【００２５】
コンテンツ転送機能１０１−２は、移動通信装置ＭＳから送信され、ネットワーク送受信部１２２を介して受信された要求に応じ、コンテンツ記憶部１１１に記憶されたコンテンツを、ネットワーク送受信部１２２を介して移動通信装置ＭＳに送信する。
【００２６】
オンオフスケジュール作成機能１０１−３は、コンテンツ転送機能１０１−２によるコンテンツの送信が中断された場合、コンテンツ転送機能１０１−２によって起動され、サーバ装置ＳＶが間欠動作する時刻を決定する。そして、決定された次に動作する時刻をオンオフスケジュール記憶部１１２に記憶させる。この間欠動作は、移動通信装置ＭＳから上記コンテンツの未送信部分の送信の要求を受信するために行われるものであり、間欠動作の周期は、コンテンツ再生時間算出機能１０１−４によって計算された、コンテンツの送信が中断される前に送信された部分コンテンツの再生に要する時間である。
【００２７】
表示部１０３は、例えばＬＣＤであり、制御部１０１に制御されることで、文字・数字や画像データの表示動作を行う。入力部１０４は、複数のキースイッチからなり、入力部１０４のキーが操作されると、そのキーの識別子が制御部１０１に通知され、制御部１０１によって、表示部１０３に文字として表示され、また、サーバ装置ＳＶの各部によって制御が行われる。
【００２８】
ネットワーク通信部１２１は、ホームネットワークＨＮから受信した高周波信号をネットワーク送受信部１２２に送信する。また、ネットワーク送受信部１２２から送信された高周波信号をホームネットワークＨＮに送信する。なお、移動通信装置ＭＳとの通信を行う際、その装置に割り当てられたＩＰアドレスによって、移動通信装置ＭＳは、ホームネットワークＨＮに接続されているか、また、移動通信網ＭＮに接続されているかを把握することができる。
【００２９】
ネットワーク送受信部１２２は、ネットワーク通信部１２１から送信された高周波信号を増幅、周波数変換及び復調し、復調された制御信号を制御部１０１に送信する。なお、コンテンツの送信に係る信号はコンテンツ転送機能１０１−２に送信する。更には、コンテンツ転送機能１０１−２から送信されたコンテンツ信号を含む、制御部１０１から送信された制御信号をネットワーク通信部１２１に送信する。
【００３０】
次に、移動通信装置ＭＳの各部の動作を、図３を参照して説明する。
【００３１】
コンテンツ取得機能２０１−１は、入力部２０７の所定のキー操作に基づいて起動され、サーバ装置ＳＶにコンテンツの送信を要求し、この要求に応じて送信されたコンテンツを受信してコンテンツ記憶部２１２に記憶させる。この要求及びコンテンツの受信は、近距離無線送受信部２２２を介して行う。近距離無線送受信部２２２を介して行うことができない場合、移動通信網送受信部２０４を介して行う。
【００３２】
コンテンツ取得機能２０１−１は、近距離無線送受信部２２２を介して行ったコンテンツの受信が中断された場合、受信が中断されたことをサーバスケジュール作成機能２０１−２に通知する。また、中断の後、コンテンツ再生部２１１によってその受信が中断されたコンテンツの再生が開始された場合、コンテンツ取得機能２０１−１は、移動通信網送受信部２０４を介して、上記コンテンツの未受信部分の送信をサーバ装置ＳＶに要求し、この要求に応じて送信されたコンテンツを受信してコンテンツ記憶部２１２に追加記憶させる。
【００３３】
サーバスケジュール作成機能２０１−２は、コンテンツ取得機能２０１−１による近距離無線送受信部２２２を介して行ったコンテンツの受信が中断された場合、サーバ装置ＳＶが間欠動作する時刻を計算する。そして、計算された時刻をサーバスケジュール記憶部２１３に記憶させる。間欠動作の周期は、コンテンツ再生時間算出機能２０１−３によって計算された、受信が中断される前に受信された部分コンテンツの再生に要する時間である。
【００３４】
移動通信網通信部２０３ｂは、アンテナ２０３ａを介して受信した高周波信号を移動通信網送受信部２０４に送信する。また、移動通信網送受信部２０４から送信された高周波信号を、アンテナ２０３ａを介して送信する。
【００３５】
移動通信網送受信部２０４は、移動通信網通信部２０３ｂから送信された高周波信号を増幅、周波数変換及び復調し、復調されたデジタル音声信号を通話部２０５ｃに送信し、また、制御信号を制御部２０１に送信する。ここで、コンテンツ信号はコンテンツ取得機能２０１−１に送信する。更には、通話部２０５ｃから送信されたデジタル音声信号、コンテンツ取得機能２０１−１から送信されたコンテンツの取得に係る信号を含む、制御部２０１から送信された制御信号を変調、周波数変換及び増幅し、増幅された高周波信号を移動通信網通信部２０３ｂに送信する。
【００３６】
通話部２０５ｃは、移動通信網送受信部２０４から送信されたデジタル音声信号をアナログ音声信号に変換して増幅し、増幅されたアナログ音声信号をスピーカ２０５ａに送る。また、マイクロフォン２０５ｂが出力するアナログ音声信号を増幅し、増幅されたアナログ音声信号をデジタル音声信号に変換して移動通信網送受信部２０４へ送信する。
【００３７】
表示部２０６は、例えばＬＣＤであり、制御部２０１に制御されることで、文字・数字や画像データの表示動作を行う。また、表示されているデータは、入力部２０７からの入力信号に応答して、また、コンテンツ再生部２１１の動作に依存して切換わる。
【００３８】
入力部２０７は、複数のキースイッチからなり、入力部２０７のキーが操作されると、そのキーの識別子が制御部２０１に通知され、制御部２０１によって表示部２０６に文字として表示され、また、移動通信装置ＭＳの各部によって制御が行われる。
【００３９】
コンテンツ再生部２１１は、入力部２０７の所定のキー操作に基づいて起動され、コンテンツ記憶部２１２に記憶されたコンテンツを再生する。そして、再生された音声信号をスピーカ２１１ａから発生させ、また、再生された画像信号を表示部２０６に表示させる。コンテンツ再生部２１１は、コンテンツ取得機能２０１−１による受信が中断されたため、コンテンツ記憶部２１２に一部分のみが記憶されたコンテンツであっても再生を開始し、そのコンテンツの再生を開始したことをコンテンツ取得機能２０１−１に通知する。
【００４０】
近距離無線通信部２２１ｂは、アンテナ２２１ａを介してホームネットワークＨＮから受信した近距離無線高周波信号を近距離無線送受信部２２２に送信する。また、近距離無線送受信部２２２から送信された高周波信号を、アンテナ２２１ａを介してホームネットワークＨＮに送信する。
【００４１】
近距離無線送受信部２２２は、近距離無線通信部２２１ｂによって受信された高周波信号を増幅、周波数変換及び復調し、復調された制御信号を制御部２０１へ送信する。ここで、コンテンツ信号はコンテンツ取得機能２０１−１へ送信する。また、コンテンツ取得機能２０１−１から送信されたコンテンツ取得に係る信号を含む、制御部２０１から送信された制御信号を受信し、変調、周波数変換及び増幅し、増幅された高周波信号を近距離無線通信部２２１ｂに送信する。
【００４２】
ここで、オンオフスケジュール記憶部１１２に記憶されるサーバ装置ＳＶが間欠動作する時刻であるオンオフスケジュール、及び、サーバスケジュール記憶部２１３に記憶されるサーバ装置ＳＶが間欠動作する時刻であるサーバスケジュールを説明する。
【００４３】
図４は、オンオフスケジュール記憶部１１２に記憶されるオンオフスケジュールの構成の一例であり、移動通信装置識別情報１１２ａと、次回動作時刻１１２ｂと、動作時間間隔１１２ｃとが関連付けられた情報からなる。この情報は、記憶されないこともあり、任意の個数が記憶されることもある。記憶される情報の個数は、コンテンツの送信が中断され、かつ、その中断以後、そのコンテンツの送信が行われていないコンテンツの数である。それらの送信が中断されたコンテンツは、１つ又は複数の移動通信装置に対して送信されたものである。
【００４４】
移動通信装置識別情報１１２ａは、移動通信装置ＭＳなどの、サーバ装置ＳＶにコンテンツの送信を要求する移動通信装置を識別する情報である。例示した「Ａ」は、移動通信装置ＭＳを識別する情報である。次回動作時刻１１２ｂは、移動通信装置識別情報１１２ａによって識別される移動通信装置から送信される、コンテンツの未送信部分の送信の要求を受信するために、次にサーバ装置ＳＶが間欠動作する時刻であり、「Ｔ１」を例示した。動作時間間隔１１２ｃは、上記要求を受信するために、サーバ装置ＳＶが間欠動作する周期であり、「ｄｔ」を例示した。
【００４５】
図５は、サーバスケジュール記憶部２１３に記憶されるサーバスケジュールの構成の一例であり、サーバ装置識別情報２１３ａと、初回動作時刻２１３ｂと、動作時間間隔２１３ｃとが関連付けられた情報からなる。この情報は、記憶されないこともあり、任意の個数が記憶されることもある。記憶される情報の個数は、コンテンツの受信が中断され、かつ、その中断以後、そのコンテンツの受信が行われていないコンテンツの数である。それらの受信が中断されたコンテンツは、１つ又は複数のサーバ装置から受信されたものである。
【００４６】
サーバ装置識別情報２１３ａは、サーバ装置ＳＶなどのサーバ装置を識別する情報である。例示した「Ｘ」は、サーバ装置ＳＶを識別する情報である。初回動作時刻２１３ｂは、サーバ装置識別情報２１３ａによって識別されるサーバ装置が、移動通信装置ＭＳからのコンテンツの未送信部分の送信要求を受信するために間欠動作する初回の時刻である。
【００４７】
動作時間間隔２１３ｃは、サーバ装置識別情報２１３ａによって識別されるサーバ装置が上記要求を受信するために間欠動作する周期であって、上記の動作時間間隔１１２ｃと同じ時間である「ｄｔ」である。そこで、初回動作時刻２１３ｂと、動作時間間隔２１３ｃに０以上の自然数を乗じた積との和である時刻に、サーバ装置識別情報２１３ａによって識別されるサーバ装置は動作すると判断され、この時刻は、移動通信装置ＭＳがコンテンツの未受信部分の送信の要求をサーバ装置へ送信するために用いられる。
【００４８】
なお、図５には、現在時刻は、時刻「Ｔ１」未満であり、例示した初回動作時刻２１３ｂである「Ｔ１」は、上述した次回動作時刻１１２ｂである「Ｔ１」と同じ時刻である。
【００４９】
上記のように構成された、本発明の実施形態に係るコンテンツダウンロードシステムにおいて、移動通信装置ＭＳがサーバ装置ＳＶに記憶されたコンテンツをダウンロードする動作を説明する。なお、この動作を２つに分け、まず、移動通信装置ＭＳが家庭内にあって、サーバ装置ＳＶから送信されたコンテンツの一部を、ホームネットワークＨＮを介して受信中に、そのコンテンツの受信が中断される動作を説明する。この受信の中断は、例えば、移動通信装置ＭＳが家庭外に移動することによって生じる。次に、上記動作の後、移動通信装置ＭＳが移動通信網ＭＮを介して上記コンテンツの未受信部分を受信する動作を説明する。
【００５０】
図６は、移動通信装置ＭＳが家庭内にあって、サーバ装置ＳＶから送信されたコンテンツを、ホームネットワークＨＮを介して受信し、その受信が中断されるまでの移動通信装置ＭＳ及びサーバ装置ＳＶのダウンロード動作のフローチャートである。なお、この動作に先んじて、サーバ装置ＳＶの電源は、装置の使用者によって投入されているとする。
【００５１】
移動通信装置ＭＳのコンテンツ取得機能２０１−１は、入力部２０７の所定のキー操作によって、コンテンツのホームネットワークＨＮを介した受信の動作を開始し（ステップＳ２０１−１ａ）、近距離無線送受信部２２２を動作させ、コンテンツ送信の要求をサーバ装置ＳＶへ送信させる（ステップＳ２０１−１ｂ）。
【００５２】
この要求がサーバ装置ＳＶのネットワーク送受信部１２２によって受信されることにより、サーバ装置ＳＶのコンテンツ転送機能１０１−２は、コンテンツ送信の動作を開始し（ステップＳ１０１−２ａ）、そのコンテンツの単位量を順次送信し（ステップＳ１０１−２ｂ）、その送信毎に送信が正常に終了したか否かを、ネットワーク送受信部１２２からの通知によって調べる（ステップＳ１０１−２ｃ）。送信が正常に終了した場合、引き続いて、ステップＳ１０１−２ｂのコンテンツの単位量の送信動作を行う。
【００５３】
一方、コンテンツ取得機能２０１−１は、コンテンツの単位量を受信して（ステップＳ２０１−１ｃ）、その受信毎に受信が正常に終了したか否かを、近距離無線送受信部２２２からの通知によって調べる（ステップＳ２０１−１ｄ）。受信が正常に終了した場合、受信されたコンテンツの単位量をコンテンツ記憶部２１２に記憶させ（ステップＳ２０１−１ｅ）引き続いて、ステップＳ２０１−１ｃのコンテンツの単位量の受信動作を行う。ここで、ステップＳ２０１−１ｃのコンテンツの受信動作は、ステップＳ１０１−２ｂのコンテンツの送信動作と対応した動作である。
【００５４】
単位量とは、例えば、コンテンツがＰＥＳ（Packetized Elementary Stream）パケットの列から構成されている場合、そのＰＥＳパケットである。ここで、ＰＥＳパケットの構成の一例を、図７を参照して説明する。ＰＥＳパケットは、ＰＥＳヘッダ１１１ａと、ＰＥＳパケット情報１１１ｂとからなる。ＰＥＳヘッダ１１１ａは、ストリーム識別子１１１ｃと、ＰＴＳ（Presentation Time Stamp）１１１ｄとからなり、ＰＥＳパケット情報１１１ｂは、１つ又は複数の符号化されたフレーム情報１１１ｅからなる。
【００５５】
ストリーム識別子１１１ｃは、符号化されたフレーム情報１１１ｅが如何なる種類の情報であるかを示し、画像、音声などのいずれであるかを示す。ＰＴＳ１１１ｄは、ＰＥＳパケット情報１１１ｂに含まれる最初の符号化されたフレーム情報１１１ｅが再生される時刻を示し、符号化されたフレーム情報１１１ｅを再生する装置が備える基準同期信号（System Time Clock）が示す時刻が、ＰＴＳ１１１ｄに一致した時点で、上記最初の符号化されたフレーム情報１１１ｅが再生されるように制御される。
【００５６】
ストリーム識別子１１１ｃが画像であるＰＥＳパケットと、ストリーム識別子１１１ｃが音声であるＰＥＳパケットとからなるコンテンツは、概ねＰＴＳ１１１ｄが小さい順にソートされており、そのソート順に送信される。
【００５７】
ステップＳ１０１−２ｃで、単位量のコンテンツの送信が正常に終了しなかった、即ち、移動通信装置ＭＳが、ホームネットワークＨＮが設置された家庭から外へ出ることによって、移動通信装置ＭＳと、サーバ装置ＳＶとのホームネットワークＨＮを介した接続が切断された場合、コンテンツ転送機能１０１−２は、送信が完了した単位量を識別する情報、例えば、送信が完了したＰＥＳパケットの個数を記憶し、オンオフスケジュール作成機能１０１−３を起動してオンオフスケジュールを新規記憶させ（ステップＳ１０１−２ｄ）、オンオフ制御機能１０１−１に指示してサーバ装置ＳＶの電源の切断をさせる（ステップＳ１０１−２ｅ）。この電源切断により、当然にコンテンツ転送機能１０１−２の動作は終了する。
【００５８】
ステップＳ１０１−２ｄでオンオフスケジュール作成機能１０１−３は、移動通信装置識別情報１１２ａに移動通信装置ＭＳを識別する情報である「Ａ」を、動作時間間隔１１２ｃにコンテンツ再生時間算出機能１０１−４によって計算された、既に送信されたコンテンツの再生に要する時間である「ｄｔ」を、そして、次回動作時刻１１２ｂにクロック１０２が示す送信単位量のコンテンツの送信が正常に終了しなかった時の時刻Ｔ０に動作時間間隔１１２ｃである「ｄｔ」を加えた時刻を設定したオンオフスケジュールをオンオフスケジュール記憶部１１２に新規記憶させる。
【００５９】
ステップＳ２０１−１ｄで、単位量のコンテンツの受信が正常に終了しなかった場合、コンテンツ取得機能２０１−１は、サーバスケジュール作成機能２０１−２を起動してサーバスケジュールを新規記憶させ（ステップＳ２０１−１ｆ）、ホームネットワークＨＮを介してコンテンツを受信する動作を終了する（ステップＳ２０１−１ｇ）。
【００６０】
ここで、ステップＳ２０１−１ｄで、単位量のコンテンツの受信が正常に終了しなかった場合とは、ステップＳ１０１−２ｃで、単位量のコンテンツの送信が正常に終了しなかった場合に対応する。
【００６１】
ステップＳ２０１−１ｆでサーバスケジュール作成機能２０１−２は、サーバ装置識別情報２１３ａにサーバ装置ＳＶを識別する情報である「Ｘ」を、動作時間間隔２１３ｃに、コンテンツ再生時間算出機能２０１−３によって計算された、既に送信されたコンテンツの再生に要する時間である「ｄｔ」を、そして、初回動作時刻２１３ｂに送信単位量のコンテンツの送信が正常に終了しなかった際の時刻Ｔ０に動作時間間隔２１３ｃである「ｄｔ」を加えた時刻を設定したサーバスケジュールをサーバスケジュール記憶部２１３に新規記憶させる。
【００６２】
ここで、送信されたコンテンツの再生に要する時間である「ｄｔ」の計算について、特に、この値は、サーバ装置ＳＶのコンテンツ再生時間算出機能１０１−４と、移動通信装置ＭＳのコンテンツ再生時間算出機能２０１−３とによって、独立して同じ値が計算される理由を説明する。ステップＳ１０１−２ｃの判断の際と、ステップＳ２０１−１ｄの判断の際とで、最後に正常に送信又は受信されたＰＥＳパケットは、共通に把握できる。そこで、そのＰＥＳパケットのＰＴＳ１１１ｄと、上記コンテンツの最初のＰＥＳパケットのＰＴＳ１１１ｄとの差を「ｄｔ」とする。
【００６３】
ストリーム識別子１１１ｃが画像であるＰＥＳパケットと、ストリーム識別子１１１ｃが音声であるＰＥＳパケットとからなるコンテンツの送受信においては、ストリーム識別子１１１ｃが画像である最後に正常に送信又は受信されたＰＥＳパケットのＰＴＳ１１１ｄと、ストリーム識別子１１１ｃが音声である最後に正常に送信又は受信されたＰＥＳパケットのＰＴＳ１１１ｄとの内、小さい値を用いて「ｄｔ」を計算する。
【００６４】
次に、ステップＳ１０１−２ｄでオンオフスケジュール作成機能１０１−３によって設定される次回動作時刻１１２ｂと、ステップＳ２０１−１ｆでサーバスケジュール作成機能２０１−２によって設定される初回動作時刻２１３ｂとは同じ時刻「Ｔ１」であるとした。ここで、サーバ装置ＳＶのクロック１０２が示す時刻と、移動通信装置ＭＳのクロック２０２が示す時刻との間に差がある場合、上述した説明では、同じ時刻「Ｔ１」が設定されない。
【００６５】
しかし、後述する説明によれば明らかなように、送受信が行われなくなった時刻からの経過時間をサーバ装置ＳＶと、移動通信装置ＭＳとで差がなく把握できれば良く、上記の２つのクロック１０２、２０２が示す時刻間に差があることは、何ら支障にならない。例えば、サーバ装置ＳＶと移動通信装置ＭＳは、それぞれ次回動作時刻１１２ｂ、初回動作時刻２１３ｂを計算するため、クロックの精度などによって両者の時刻は必ずしも一致するとは限らず、若干のズレが伴うこともあるが、支障とはならないレベルである。
【００６６】
なお、ステップＳ１０１−２ｃで正常に送信できたことが続き、言い換えると、ステップＳ２０１−１ｄで正常に受信できたことが続き、コンテンツの全ての送受信が終了した場合、コンテンツ転送機能１０１−２及びコンテンツ取得機能２０１−１は、動作を終了する（図示せず）。
【００６７】
この際、コンテンツ転送機能１０１−２は、オンオフスケジュールを記憶させることなくステップＳ１０１−２ｅの動作で説明した、オンオフ制御機能１０１−１に指示してサーバ装置ＳＶの電源の切断をさせる動作をする。この結果、オンオフ制御機能１０１−１によってサーバ装置ＳＶの電源が投入されることはない。しかし、コンテンツの全ての送受信が正常の終了したことは、移動通信装置ＭＳが家庭内にある、即ち、移動通信装置ＭＳの使用者がその家庭内にいる場合であるので、サーバ装置ＳＶの電源の切断は、使用者に委ねられても良い。
【００６８】
図８は、図６を参照して説明した、サーバ装置ＳＶと移動通信装置ＭＳとの間のホームネットワークＨＮを介したコンテンツの送受信が中断された後、移動通信装置ＭＳが移動通信網ＭＮを介して上記コンテンツの未受信部分を受信する際の、サーバ装置ＳＶと移動通信装置ＭＳとの動作のフローチャートである。
【００６９】
サーバ装置ＳＶは、クロック１０２が次回動作時刻１１２ｂを示した際に、後で詳述するように、オンオフ制御機能１０１−１によって電源が投入されて、コンテンツ転送機能１０１−２は動作を開始し（ステップＳ１０１−２ｍ）、移動通信装置ＭＳからインターネットＩＮを介して送信された、コンテンツの未送信部分の送信要求の受信を、クロック１０２が次回動作時刻１１２ｂに所定の余裕時間を加えた時刻を示すまで待ち（ステップＳ１０１−２ｎ）、受信したか否かの判定により動作を分岐する（ステップＳ１０１−２ｏ）。
【００７０】
受信しなかったと判定された場合、コンテンツ転送機能１０１−２は、上記コンテンツの未送信部分の送信要求の受信に係るオンオフスケジュール（例えば、移動通信装置識別情報１１２ａが「Ａ」であることによって検索される。また、オンオフスケジュールにはそのコンテンツを識別する情報が含まれるとし、その情報も参照して検索される。）の次回動作時刻１１２ｂに動作時間間隔１１２ｃを加えてオンオフスケジュール記憶部１１２に更新記憶させ（ステップＳ１０１−２ｐ）、オンオフ制御機能１０１−１に指示してサーバ装置ＳＶの電源の切断をさせる（ステップＳ１０１−２ｑ）。
【００７１】
このステップＳ１０１−２ｑの動作は、図６を参照して説明したステップＳ１０１−２ｅの動作と同じである。そして、移動通信装置ＭＳから上記要求を受信しない限り、ステップＳ１０１−２ｍ〜ステップＳ１０１−２ｑの動作が動作時間間隔１１２ｃの時間間隔をもって繰り返される。
【００７２】
一方、ステップＳ１０１−２ｏで要求が受信されたと判定された場合、コンテンツ転送機能１０１−２は、その要求に応じてコンテンツの未送信部分を移動通信装置ＭＳにインターネットＩＮを介して送信する（ステップＳ１０１−２ｒ）。
【００７３】
そして、コンテンツ転送機能１０１−２は、送信したコンテンツに係わるオンオフスケジュールをオンオフスケジュール記憶部１１２から削除して（ステップＳ１０１−２ｓ）、サーバ装置ＳＶの電源の切断をさせる（ステップＳ１０１−２ｑ）。ステップＳ１０１−２ｓでオンオフスケジュールが削除されたため、以後、移動通信装置ＭＳからのコンテンツの要求を受信するため、オンオフ制御機能１０１−１によってサーバ装置ＳＶの電源が投入されることはない。
【００７４】
移動通信装置ＭＳのコンテンツ取得機能２０１−１の動作説明に移る。コンテンツ取得機能２０１−１は、コンテンツ再生部２１１が入力部２０７のキー操作に基づいて、受信が中断された、言い換えると、途中までが受信されたコンテンツの再生を開始した際、コンテンツ再生部２１１からの通知によってそのコンテンツの未受信部分を受信する動作を開始する（ステップＳ２０１−１ｍ）。なお、コンテンツ取得機能２０１−１は、コンテンツ再生部２１１の通知による他、入力部２０７のキー操作に基づいて動作を開始しても良い。更には、入力部２０７の操作の有無に係らず動作を開始しても良い。
【００７５】
コンテンツ取得機能２０１−１は、コンテンツ再生部２１１によって再生が開始されたコンテンツに係わるサーバスケジュール（例えば、サーバ装置識別情報２１３ａが「Ｘ」であることによって検索される。また、サーバスケジュールにはそのコンテンツを識別する情報が含まれるとし、その情報も参照して検索される。）の初回動作時刻２１３ｂと、動作時間間隔２１３ｃと０以上の自然数の積との和と、クロック２０２が示す現在時刻Ｔとを比較することにより、次回にサーバ装置ＳＶが動作する時刻を計算し、その時刻まで待つ（ステップＳ２０１−１ｎ）。
【００７６】
即ち、
初回動作時刻２１３ｂ＋（動作時間間隔２１３ｃ）×ｉ＜Ｔ
かつ、
Ｔ≦初回動作時刻２１３ｂ＋（動作時間間隔２１３ｃ）×（ｉ＋１）
なる０以上の自然数ｉを求め、クロック２０２が示す時刻が（初回動作時刻２１３ｂ＋（動作時間間隔２１３ｃ）×（ｉ＋１））を示すまで待つ。
【００７７】
そして、上記サーバ装置ＳＶが動作する時刻に、コンテンツ取得機能２０１−１は、上記コンテンツの未受信部分の送信要求をサーバ装置ＳＶに送信する（ステップＳ２０１−１ｏ）。この送信は、ステップＳ１０１−２ｎで受信待ちであるコンテンツ転送機能１０１−２によって受信される。
【００７８】
コンテンツ取得機能２０１−１は、サーバ装置ＳＶから送信された上記コンテンツの未受信部分を受信してコンテンツ記憶部２１２に記憶させる（ステップＳ２０１−１ｐ）。そして、ステップＳ２０１−１ｎで参照した、サーバ装置ＳＶが動作する時刻を示すサーバスケジュールをサーバスケジュール記憶部２１３から削除して（ステップＳ２０１−１ｑ）、コンテンツの未受信部分を受信する動作を終了する（ステップＳ２０１−１ｒ）。
【００７９】
ステップＳ２０１−１ｎで待つ時間の最大は、動作時間間隔２１３ｃである。そして、この時間は、既に受信された部分コンテンツを再生する時間である。そこで、最長の時間に渡って待ったとしても、そのコンテンツの再生を中断なしに続けることができ、装置の使用者が違和感を覚えることがない。
【００８０】
ここで、サーバ装置ＳＶのオンオフ制御機能１０１−１によってサーバ装置ＳＶの電源が投入される動作を説明し、併せて、サーバ装置ＳＶの電源の投入と切断が行なわれる状況を説明する。図９は、時刻Ｔ０に移動通信装置ＭＳとの間のコンテンツの送受信が中断された後、サーバ装置ＳＶの電源の投入と切断が繰り返される状況を示している。このように電源の投入と切断が繰り返されることは、サーバ装置ＳＶがコンテンツの未送信部分の送信要求を受信することがないことを意味している。
【００８１】
時刻Ｔ０でコンテンツの送受信の中断に伴い、コンテンツ転送機能１０１−２によって電源切断の要求がされると、オンオフ制御機能１０１−１は、次回動作時刻１１２ｂの「Ｔ１」から、一定の事前動作時間ｔ−ｐを減じた時刻に装置の電源が投入されるように設定して、電源を切断する。そして、この設定された時刻にサーバ装置ＳＶの電源を投入する。ここで、事前動作時間ｔ−ｐは、略電源が投入されてからコンテンツ転送機能１０１−２が動作するまでの時間である。
【００８２】
ここで、サーバ装置ＳＶは、時刻「Ｔ１」から一定の事後動作時間ｔ−ａを加えた時刻に至るまで動作を続けるとした。この事後動作時間ｔ−ａは、コンテンツ転送機能１０１−２のステップＳ１０１−２ｎで、コンテンツの未送信部分の送信要求の受信を待つ所定時間に略対応する。また、略移動通信装置ＭＳからコンテンツの未受信部分の送信要求を送信し、その要求がコンテンツ転送機能１０１−２によって受信される迄の時間である。
【００８３】
事後動作時間ｔ−ａが経過後、オンオフ制御機能１０１−１は、コンテンツの未送信部分の送信要求を受信しなかったコンテンツ転送機能１０１−２によって電源切断の要求がされ（コンテンツ転送機能１０１−２のステップＳ１０１−２ｑの動作に対応する。）、次回動作時刻１１２ｂの「Ｔ２」（コンテンツ転送機能１０１−２のステップＳ１０１−２ｐの動作により、更新記憶されている。）から、一定の事前動作時間ｔ−ｐを減じた時刻に装置の電源が投入されるように設定し、以後同様に動作する。
【００８４】
以上の動作によって、サーバ装置ＳＶは、時刻「Ｔ１」以降、動作時間間隔１１２ｃを間欠動作周期として間欠的に動作する。そして、電源投入時間ｔ−ｏｎは、事前動作時間ｔ−ｐと、事後動作時間ｔ−ａとの和であり、電源切断時間ｔ−ｏｆｆは、動作時間間隔１１２ｃから、電源投入時間ｔ−ｏｎを減じた時間である。このように間欠動作することによって、サーバ装置ＳＶによって消費される電力の削減が可能である。
【００８５】
次に、サーバ装置ＳＶが間欠動作中に、移動通信装置ＭＳからコンテンツの未受信部分の送信要求を受信した場合の、サーバ装置ＳＶの電源の投入と切断が行なわれる状況を説明する。図１０は、時刻が「Ｔ２」から、その時刻に事後動作時間ｔ−ａを加えた時刻の間に、移動通信装置ＭＳからコンテンツの未受信部分の送信要求を受信した場合の状況を示している。
【００８６】
その送信要求に従い、コンテンツ転送機能１０１−２によってコンテンツの未受信部分の送信が行われる間、サーバ装置ＳＶの電源が投入される。そして、その送信の終了によってサーバ装置ＳＶの電源が切断され、その後、電源が投入されることはない（ステップＳ１０１−２ｓのオンオフスケジュールの削除の動作と、ステップＳ１０１−２ｑの電源切断の動作とに対応する。）。
【００８７】
なお、サーバ装置ＳＶは、１台の移動通信装置ＭＳから送信されるコンテンツの未受信部分の送信要求を受信するために間欠動作すると限るものではなく、複数台の移動通信装置からの上記送信要求を受信するために間欠動作することがある。図１１は、サーバ装置ＳＶが第１の移動通信装置（例えば、移動通信装置ＭＳ。）と、第２の移動通信装置の２台の装置とから送信される上記送信要求を受信するために間欠動作する際の、サーバ装置ＳＶの電源の投入と切断が行なわれる状況を示している。
【００８８】
コンテンツ転送機能１０１−２は、２台の装置に対するコンテンツ送信の中断があった場合、それぞれの中断に対応したオンオフスケジュールをオンオフスケジュール記憶部１１２に記憶させる。そこで、オンオフ制御機能１０１−１は、次回動作時刻１１２ｂの内の小さい値から事前動作時間ｔ−ｐを減じた時刻にサーバ装置ＳＶの電源を投入する。そして、その時刻にサーバ装置ＳＶの電源が投入されていれば、電源投入の動作をしない。また、コンテンツ転送機能１０１−２は、２台の装置のそれぞれについて、図８に示すステップＳ１０１−２ｎの動作で、所定の時刻までコンテンツの未送信部分の送信要求の受信を待つ。
【００８９】
この動作によって、図１１に示すように、複数の次回動作時刻１１２ｂのそれぞれから事前動作時間ｔ−ｐを減じた時刻から事後動作時間ｔ−ａを加えた時刻までの間、サーバ装置ＳＶの電源が投入され、複数台の移動通信装置から送信されるコンテンツの未受信部分の送信要求を受信することができる。
【００９０】
以上の説明では、サーバ装置ＳＶのオンオフスケジュールには、次回動作時刻１１２ｂが記憶されるとしたが、それに代えて、例えば、次回動作時刻１１２ｂから事前動作時間ｔ−ｐを減じた値が記憶されるとしても良い。また、移動通信装置ＭＳのコンテンツ取得機能２０１−１は、コンテンツの未受信部分の送信要求をサーバ装置ＳＶが動作する時刻に送信するとしたが、この時刻からその要求がサーバ装置ＳＶによって受信されるまでの時間を減じた時刻に送信しても良い。
【００９１】
以上の説明では、ホームネットワークＨＮには、サーバ装置ＳＶ、移動通信装置ＭＳ、及びインターネットＩＮへの接続のための通信事業者の回線が接続されるとしたが、それらの他に、テレビ放送受信装置、テレビ放送録画装置、パソコンなどが接続されても良い。また、これらの装置の１つ又は複数がサーバ装置ＳＶとして動作しても良い。
【００９２】
また、サーバ装置ＳＶは、ケーブルを介してホームネットワークＨＮに接続されるとしたが、近距離無線通信回線を介して接続されても良い。更に、移動通信装置ＭＳは、近距離無線通信回線を介してホームネットワークＨＮに接続されるとしたが、ケーブルを介して接続されても良い。また、近距離無線通信回線は、ブルートゥース（登録商標、Bluetooth）方式による回線でも良い。
【００９３】
以上の説明では、コンテンツは、音声信号と画像信号とからなるとしたが、これに限るものではなく、例えば、音声信号からなるとしても良い。本発明は以上の構成に限定されるものではなく、種々の変形が可能である。
【図面の簡単な説明】
【００９４】
【図１】本発明の実施形態に係るコンテンツダウンロードシステムが含まれるネットワークの構成を示すブロック図。
【図２】本発明の実施形態に係るサーバ装置の構成を示すブロック図。
【図３】本発明の実施形態に係る移動通信装置の構成を示すブロック図。
【図４】本発明の実施形態に係るオンオフスケジュールの構成の一例を示す。
【図５】本発明の実施形態に係るサーバスケジュールの構成の一例を示す図。
【図６】本発明の実施形態に係るサーバ装置と移動通信装置との動作のフローチャート（その１、ホームネットワークを介したコンテンツの送受信が中断されるまで。）
【図７】本発明の実施形態に係るＰＥＳパケットの構成の一例を示す図。
【図８】本発明の実施形態に係るサーバ装置と移動通信装置との動作のフローチャート（その２、コンテンツの送受信が中断後、未送受信部分を移動通信網を介して送受信。）
【図９】本発明の実施形態に係るサーバ装置の電源の投入と切断の状況を示す図（その１、コンテンツの送受信が中断された後、その送受信が再開されない例）。
【図１０】本発明の実施形態に係るサーバ装置の電源の投入と切断の状況を示す図（その２、コンテンツの送受信が中断された後、その送受信が再開された例）。
【図１１】本発明の実施形態に係るサーバ装置の電源の投入と切断の状況を示す図（その３、複数台の移動通信装置からのコンテンツ送信要求を受信するための間欠動作の例）。
【符号の説明】
【００９５】
ＭＳ  移動通信装置
ＳＶ  サーバ装置
ＨＮ  ホームネットワーク
ＭＮ  移動通信網
ＩＮ  インターネット
１０１−１  オンオフ制御機能
１０１−２  コンテンツ転送機能
１０１−３  オンオフスケジュール作成機能
１０１−４、２０１−３  コンテンツ再生時間算出機能
１０２、２０２  クロック
１１１、２１２  コンテンツ記憶部
１１１ａ  ＰＥＳヘッダ
１１１ｂ  ＰＥＳパケット情報
１１１ｃ  ストリーム識別子
１１１ｄ  ＰＴＳ
１１１ｅ  符号化されたフレーム情報
１１２  オンオフスケジュール記憶部
１１２ａ  移動通信装置識別情報
１１２ｂ  次回動作時刻
１１２ｃ、２１３ｃ  動作時間間隔
１２１  ネットワーク通信部
１２２  ネットワーク送受信部
２０１−１  コンテンツ取得機能
２０１−２  サーバスケジュール作成機能
２０３ｂ  移動通信網通信部
２０４  移動通信網送受信部
２０６  表示部
２０７  入力部
２１１  コンテンツ再生部
２１１ａ  スピーカ
２１３  サーバスケジュール記憶部
２１３ａ  サーバ装置識別情報
２１３ｂ  初回動作時刻
２２１ｂ  近距離無線通信部
２２２  近距離無線送受信部
【図１】
2010128956.tif 000003
【図２】
2010128956.tif 000004
【図３】
2010128956.tif 000005
【図４】
2010128956.tif 000006
【図５】
2010128956.tif 000007
【図６】
2010128956.tif 000008
【図７】
2010128956.tif 000009
【図８】
2010128956.tif 000010
【図９】
2010128956.tif 000011
【図１０】
2010128956.tif 000012
【図１１】
2010128956.tif 000013